(57)【要約】【課題】投影画像を良好に視認させることができるプロジェクターを提供する。【解決手段】プロジェクター２Ｌは、光源装置と、光源装置から出射された光束を変調して画像を形成する光変調装置２６と、画像を投射する投射光学装置２１０とを備える。光変調装置２６は、形成した画像を直線偏光で出射する。また、プロジェクター２Ｌは、光変調装置２６から出射された直線偏光の光路中に設けられた第１液晶パネル２３を備える。第１液晶パネル２３は、光路に沿う方向から見て、液晶分子のチルト方向が光変調装置２６から出射された直線偏光の偏光方向に対して４５度をなすように配設されている。【選択図】図３
2013127538.tif 000002
【特許請求の範囲】
【請求項１】
光源装置と、前記光源装置から出射された光束を変調して画像を形成する光変調装置と、前記画像を投射する投射光学装置とを備えたプロジェクターであって、
前記光変調装置は、
形成した画像を直線偏光で出射し、
当該プロジェクターは、
前記光変調装置から出射された直線偏光の光路中に設けられた第１液晶パネルを備え、
前記第１液晶パネルは、
前記光路に沿う方向から見て、液晶分子のチルト方向が前記光変調装置から出射された直線偏光の偏光方向に対して４５度をなすように設定されている
ことを特徴とするプロジェクター。
【請求項２】
請求項１に記載のプロジェクターにおいて、
前記光変調装置から出射された直線偏光の光路中に設けられた第２液晶パネルを備え、
前記第２液晶パネルは、
前記光路に沿う方向から見て、液晶分子のチルト方向が前記光変調装置から出射された直線偏光の偏光方向、前記偏光方向に直交する方向、前記第１液晶パネルのチルト方向、及び前記第１液晶パネルのチルト方向に直交する方向に合致しないように設定されている
ことを特徴とするプロジェクター。
【請求項３】
請求項１または請求項２に記載のプロジェクターにおいて、
前記第１液晶パネルは、
液晶分子の長軸が当該プロジェクターの投射方向に倣うように設定されている
ことを特徴とするプロジェクター。
【請求項４】
請求項１から請求項３のいずれかに記載のプロジェクターにおいて、
投影画像を撮像する撮像装置と、
前記第１液晶パネルを制御する制御装置とを備え、
前記制御装置は、
前記撮像装置にて撮像された撮像画像を取得する撮像画像取得部と、
前記撮像画像に基づいて、当該プロジェクターから投射された投影画像中の偏光状態が乱れた変化領域を判定する領域判定部と、
前記領域判定部にて判定された前記変化領域に基づいて、前記第１液晶パネルの動作を制御するパネル制御部とを備える
ことを特徴とするプロジェクター。
【請求項５】
第１画像を投射する第１プロジェクターと、
第２画像を投射する第２プロジェクターと、
前記第１画像及び前記第２画像が投影されるスクリーンと、
前記スクリーン上の投影画像のうち、前記第１画像を透過させる第１画像透過部、及び前記第２画像を透過させる第２画像透過部を有する画像選択装置とを備え、
前記第１プロジェクター及び前記第２プロジェクターは、
請求項１から請求項４のいずれかに記載のプロジェクターで構成されている
ことを特徴とするプロジェクションシステム。
【発明の詳細な説明】
【技術分野】
【０００１】
本発明は、プロジェクター、及びプロジェクションシステムに関する。
【背景技術】
【０００２】
従来、第１，第２プロジェクターと、第１，第２プロジェクターから投射された画像が投影されるスクリーンと、観察者に装着される偏光眼鏡とを備えたプロジェクションシステムが知られている（例えば、特許文献１参照）。
特許文献１に記載のプロジェクションシステム（投射型立体画像表示装置）では、第１プロジェクター（投射型画像表示装置）は、左目用画像を形成し、当該左目用画像を第１直線偏光でスクリーンに投射する。一方、第２プロジェクター（投射型画像表示装置）は、右目用画像を形成し、当該右目用画像を第１直線偏光に対して偏光方向が直交した第２直線偏光でスクリーンに投射する。
そして、観察者は、偏光眼鏡を通してスクリーン上の投影画像を観察することで、第１直線偏光で投射された左目用画像を左目で視認し、第２直線偏光で投射された右目用画像を右目で視認する。したがって、観察者は、視差により投影画像を立体視することとなる。
【先行技術文献】
【特許文献】
【０００３】
【特許文献１】特開平７−３６００４号公報
【発明の概要】
【発明が解決しようとする課題】
【０００４】
ところで、上述したようなプロジェクションシステムにおいて、偏光眼鏡を通して観察者に投影画像を良好に立体視させるには、第１，第２プロジェクターから高い偏光度の光を投射させることを必要とする。
しかしながら、実際には、投射レンズ等の光学素子の歪みや、光学素子の入射角度依存性等により、場所により不要な位相差が与えられることで偏光が乱れてしまい、プロジェクターから投射される光の偏光度が低くなっている。
例えば、第１プロジェクターから投射された光の偏光度が低い場合、すなわち、第１直線偏光の他、一部の光に第１直線偏光とは異なる偏光状態の光が含まれていた場合には、第１プロジェクターから投射された左目用画像のうち、一部の光が偏光眼鏡を通して観察者の右目にて視認されてしまう。第２プロジェクターから投射された光の偏光度が低い場合も同様に、第２プロジェクターから投射された右目用画像のうち、一部の光が偏光眼鏡を通して観察者の左目にて視認されてしまう。
すなわち、所謂クロストークが生じてしまい、観察者に投影画像を良好に視認させることができない、という問題がある。
【０００５】
本発明の目的は、投影画像を良好に視認させることができるプロジェクター、及びプロジェクションシステムを提供することにある。
【課題を解決するための手段】
【０００６】
本発明のプロジェクターは、光源装置と、前記光源装置から出射された光束を変調して画像を形成する光変調装置と、前記画像を投射する投射光学装置とを備えたプロジェクターであって、前記光変調装置は、形成した画像を直線偏光で出射し、当該プロジェクターは、前記光変調装置から出射された直線偏光の光路中に設けられた第１液晶パネルを備え、前記第１液晶パネルは、前記光路に沿う方向から見て、液晶分子のチルト方向が前記光変調装置から出射された直線偏光の偏光方向に対して４５度をなすように設定されていることを特徴とする。
【０００７】
ところで、偏光度に最も悪い影響を与えるのは、プロジェクターから投射される直線偏光の光路に沿う方向から見て、当該直線偏光の偏光方向に対して４５°をなす方向の位相差（以下、４５°方向の位相差）が与えられた場合である。
本発明では、プロジェクターは、光変調装置から出射された直線偏光の光路中に上述した第１液晶パネルを備える。
このことにより、第１液晶パネルの光透過領域のうち、偏光状態が乱れた変化領域に対応する液晶セルに所定の電圧を印加することで、当該変化領域に対応する光に４５°方向の位相差を打ち消す位相差を与えることができる。
このため、投射レンズ等の光学素子の歪みや、光学素子の入射角度依存性等により、場所により乱れた偏光状態を元に戻し、プロジェクターから投射される光の偏光度を高めることができる。
したがって、プロジェクションシステムを構成する第１，第２プロジェクターに本発明のプロジェクターを用いれば、クロストークが生じることを抑制でき、観察者に投影画像を良好に視認させることができる。
【０００８】
本発明のプロジェクターでは、前記光変調装置から出射された直線偏光の光路中に設けられた第２液晶パネルを備え、前記第２液晶パネルは、前記光路に沿う方向から見て、液晶分子のチルト方向が前記光変調装置から出射された直線偏光の偏光方向、前記偏光方向に直交する方向、前記第１液晶パネルのチルト方向、及び前記第１液晶パネルのチルト方向に直交する方向に合致しないように設定されていることが好ましい。
【０００９】
ところで、第１液晶パネルのみを用いた場合には、上述したように、４５°方向の位相差を打ち消すことができるが、その他の方向（上記光路に沿う方向から見て、直線偏光の偏光方向に対して４５°以外の角度をなす方向）の位相差を打ち消すことは難しい。
本発明では、プロジェクターは、光変調装置から出射された直線偏光の光路中に、第１液晶パネルの他、上述した第２液晶パネルを備える。
このことにより、第１，第２液晶パネルを組み合わせることで、４５°以外の方向の位相差をも打ち消すことが可能となる。
したがって、プロジェクターから投射される光の偏光度をさらに高めることができる。
【００１０】
本発明のプロジェクターでは、前記第１液晶パネルは、液晶分子の長軸が当該プロジェクターの投射方向に倣うように設定されていることが好ましい。
ところで、液晶分子は、屈折率楕円体であるため、例えば、電圧を印加していない時においても、不要な位相差を与えてしまう恐れがある。すなわち、第１液晶パネル自体が偏光を乱す要因となってしまう恐れがある。
本発明では、第１液晶パネルは、上述したように設定されているので、光透過領域のうち、電圧が印加されていない（偏光状態が乱れた変化領域以外の領域に対応する）液晶セル内において、液晶分子の長軸に略沿って光を透過させることができる。
したがって、偏光状態が乱れていない光については、偏光状態を変化させることなく、そのまま第１液晶パネルを透過させることができ、第１液晶パネルが不要な位相差を与えることを抑制できる。
【００１１】
本発明のプロジェクターでは、投影画像を撮像する撮像装置と、前記第１液晶パネルを制御する制御装置とを備え、前記制御装置は、前記撮像装置にて撮像された撮像画像を取得する撮像画像取得部と、前記撮像画像に基づいて、当該プロジェクターから投射された投影画像中の偏光状態が乱れた変化領域を判定する領域判定部と、前記領域判定部にて判定された前記変化領域に基づいて、前記第１液晶パネルの動作を制御するパネル制御部とを備えることが好ましい。
【００１２】
本発明では、プロジェクターは、撮像装置と、上述した撮像画像取得部、領域判定部、及びパネル制御部を有する制御装置とを備える。
このことにより、投射レンズ等の光学素子の歪みや、光学素子の入射角度依存性等により、偏光状態が乱れた場所（変化領域）を容易に特定できる。また、第１液晶パネルにおける当該変化領域に対応する液晶セルに電圧を印加することで、当該変化領域に対応する光の偏光状態を元に戻し、プロジェクターから投射される光の偏光度を容易に高めることができる。
また、撮像装置及び制御装置を搭載した構成とすることで、長期間の使用により偏光状態の乱れる場所が変化した場合であっても、撮像装置及び制御装置を用いることで、変化領域を特定し、プロジェクターから投射される光の偏光度を高めることができる。
【００１３】
本発明のプロジェクションシステムは、第１画像を投射する第１プロジェクターと、第２画像を投射する第２プロジェクターと、前記第１画像及び前記第２画像が投影されるスクリーンと、前記スクリーン上の投影画像のうち、前記第１画像を透過させる第１画像透過部、及び前記第２画像を透過させる第２画像透過部を有する画像選択装置とを備え、前記第１プロジェクター及び前記第２プロジェクターは、上述したプロジェクターで構成されていることを特徴とする。
本発明のプロジェクションシステムは、上述したプロジェクター（第１，第２プロジェクター）を備えるので、上述したプロジェクターと同様の作用及び効果を享受できる。
【図面の簡単な説明】
【００１４】
【図１】第１実施形態におけるプロジェクションシステムの使用形態を示す斜視図。
【図２】第１実施形態における左目用プロジェクターの内部構成を模式的に示す平面図。
【図３】図２の一部を拡大した図であり、各色光の偏光状態を示す図。
【図４】第１実施形態における右目用プロジェクターにおける光学ユニットの構成の一部を模式的に示す平面図。
【図５】第１実施形態における制御装置の構成を示すブロック図。
【図６】第１実施形態におけるチルト方向の表記の仕方を示す図。
【図７】第１実施形態における第１補正パネルのチルト方向を説明するための図。
【図８】第１実施形態における第１補正パネルのチルト方向を説明するための図。
【図９】第１実施形態における第１補正パネルのチルト方向を説明するための図。
【図１０】第１実施形態における第１補正パネルのチルト方向を説明するための図。
【図１１】第１実施形態における事前準備を説明するフローチャート。
【図１２】第１実施形態における第１，第２補正パネルに印加する電圧の設定方法を説明するフローチャート。
【図１３】第１実施形態における第１，第２補正パネルに印加する電圧の設定方法を説明するフローチャート。
【図１４】第１実施形態における第１，第２補正パネルに印加する電圧の設定方法を説明するフローチャート。
【図１５】第２実施形態における第１補正パネルのチルト方向を説明するための図。
【図１６】第２実施形態における第１補正パネルのチルト方向を説明するための図。
【図１７】第２実施形態における第１補正パネルのチルト方向を説明するための図。
【図１８】第２実施形態における第１補正パネルのチルト方向を説明するための図。
【発明を実施するための形態】
【００１５】
[第１実施形態]
以下、本発明の第１実施形態を図面に基づいて説明する。
〔プロジェクションシステムの構成〕
図１は、プロジェクションシステム１の使用形態を示す斜視図である。
プロジェクションシステム１は、反射型のスクリーンＳｃ（図１）の投射面上に投影画像を表示するとともに、観察者に投影画像を立体視させる。
このプロジェクションシステム１は、図１に示すように、第１プロジェクターとしての左目用プロジェクター２Ｌと、第２プロジェクターとしての右目用プロジェクター２Ｒと、スクリーンＳｃと、画像選択装置としての偏光眼鏡３とを備える。
本実施形態では、左，右目用プロジェクター２Ｌ，２Ｒは、図１に示すように、水平方向に並設されている。具体的には、スクリーンＳｃに対向する側から見て、左側に左目用プロジェクター２Ｌが配設され、右側に右目用プロジェクター２Ｒが配設されている。
【００１６】
〔プロジェクターの構成〕
図２は、左目用プロジェクター２Ｌの内部構成を模式的に示す平面図である。
なお、図２において、紙面に直交する方向は、図１の上下方向（鉛直方向）に相当するものである。
左，右目用プロジェクター２Ｌ，２Ｒは、同様の構成を有している。このため、以下では、左目用プロジェクター２Ｌを主に説明し、右目用プロジェクター２Ｒについては、左目用プロジェクター２Ｌと同様の機能を有する構成に同一の符号を付し、説明を簡略化する。
左目用プロジェクター２Ｌは、左目用画像を形成してスクリーンＳｃに投射する。
この左目用プロジェクター２Ｌは、図２に示すように、光学ユニット２１と、制御装置２２と、第１，第２液晶パネル２３，２４（以下、第１，第２補正パネル２３，２４）と、撮像装置としてのカメラ２５（図５参照）とを備える。
【００１７】
〔光学ユニットの構成〕
光学ユニット２１は、図２に示すように、光源ランプ２１１Ａ及びリフレクター２１１Ｂを有する光源装置２１１と、レンズアレイ２１２Ａ，２１２Ｂ、偏光変換素子２１２Ｃ、及び重畳レンズ２１２Ｄを有する照明光学装置２１２と、ダイクロイックミラー２１３Ａ，２１３Ｂ、及び反射ミラー２１３Ｃを有する色分離光学装置２１３と、入射側レンズ２１４Ａ、リレーレンズ２１４Ｃ、及び反射ミラー２１４Ｂ，２１４Ｄを有するリレー光学装置２１４と、３つの液晶パネル２１５（以下、表示パネル２１５）と、３つの入射側偏光板２１６Ａと、３つの出射側偏光板２１６Ｂと、２つの１／２波長板２１７と、色合成光学装置としてのクロスダイクロイックプリズム２１８と、波長選択性偏光回転素子２１９と、投射光学装置としての投射レンズ２１０とを備える。
【００１８】
そして、光学ユニット２１では、上述した構成により、光源装置２１１から出射され照明光学装置２１２を介した光束は、色分離光学装置２１３にてＲ，Ｇ，Ｂの３つの色光に分離される。また、分離された各色光は、各表示パネル２１５にてそれぞれ変調される。変調された各色光（各画像）は、プリズム２１８にて合成され、波長選択性偏光回転素子２１９を介した後、投射レンズ２１０にてスクリーンＳｃに投射される。
【００１９】
図３は、図２の一部を拡大した図であり、各色光の偏光状態を示す図である。
本実施形態では、３つの入射側偏光板２１６Ａに入射した各色光Ｒ，Ｇ，Ｂは、以下に示すように、偏光方向を変えながら進行する。
なお、以下では、図３中、紙面に直交する偏光方向を有する直線偏光を第１直線偏光Ｓと記載し、第１直線偏光Ｓの偏光方向に直交し、図３中、紙面に平行となる偏光方向を有する直線偏光を第２直線偏光Ｐとして記載する。
先ず、光源装置２１１から出射された光束の略全ては、偏光変換素子２１２Ｃにて第１直線偏光Ｓに変換される。そして、偏光変換素子２１２Ｃから出射された光束は、色分離光学装置２１３にて各色光Ｒ，Ｇ，Ｂに分離され、図３に示すように、第１直線偏光Ｓとして各入射側偏光板２１６Ａにそれぞれ入射することとなる。
【００２０】
３つの入射側偏光板２１６Ａは、偏光変換素子２１２Ｃで揃えられた光束の偏光方向と略同一方向の透過軸を有する。すなわち、３つの入射側偏光板２１６Ａに入射した各色光Ｒ，Ｇ，Ｂ（第１直線偏光Ｓ）のうち第１直線偏光Ｓ成分の光は、図３に示すように、偏光方向が変更されることなく、各入射側偏光板２１６Ａから第１直線偏光Ｓとして出射される。
３つの出射側偏光板２１６Ｂは、入射側偏光板２１６Ａの透過軸に対して照明光軸Ａｘ（図２）を中心として９０°回転した透過軸を有する。すなわち、各入射側偏光板２１６Ａから出射され、各表示パネル２１５を介して各出射側偏光板２１６Ｂに入射した各色光Ｒ，Ｇ，Ｂのうち第２直線偏光Ｐ成分の光は、図３に示すように、各出射側偏光板２１６Ｂから第２直線偏光Ｐとして出射される。
【００２１】
ここで、１／２波長板２１７は、図３に示すように、赤、青の各色光Ｒ，Ｂ側において、各出射側偏光板２１６Ｂとプリズム２１８との間に配設されている。
すなわち、図３に示すように、各出射側偏光板２１６Ｂから出射された各色光Ｒ，Ｇ，Ｂ（第２直線偏光Ｐ）のうち、赤、青の各色光Ｒ，Ｂのみが１／２波長板にて第１直線偏光Ｓに変換される。
【００２２】
プリズム２１８は、図３に示すように、平面視で略Ｘ字状に交差する一対の誘電体多層膜２１８Ａ，２１８Ｂを有する。一方の誘電体多層膜２１８Ａは赤色光Ｒを反射させるものであり、他方の誘電体多層膜２１８Ｂは青色光Ｂを反射させるものであり、これらの誘電体多層膜２１８Ａ，２１８Ｂによって赤、青の各色光Ｒ，Ｂは光路が折り曲げられ、緑色光Ｇの進行方向と揃えられることにより、３つの色光Ｒ，Ｇ，Ｂが合成される。
ここで、プリズム２１８に入射する各色光Ｒ，Ｇ，Ｂのうち、緑色光Ｇは、第２直線偏光Ｐとしてプリズム２１８に入射するため、各誘電体多層膜２１８Ａ，２１８ＢにＰ偏光で入射することとなる。すなわち、緑色光Ｇは、各誘電体多層膜２１８Ａ，２１８Ｂを効果的に透過し、光の利用効率が向上することとなる。
【００２３】
一方、赤、青の各色光Ｒ，Ｂは、１／２波長板２１７にて第１直線偏光Ｓに変換されているため、各誘電体多層膜２１８Ａ，２１８ＢにＳ偏光で入射することとなる。すなわち、赤、青の各色光Ｒ，Ｂは、誘電体多層膜２１８Ａ、または誘電体多層膜２１８Ｂにて効果的に反射し、光の利用効率が向上することとなる。
波長選択性偏光回転素子２１９は、プリズム２１８で合成された３つの色光Ｒ，Ｇ，Ｂのうち、緑色光Ｇに対応する波長域の偏光軸を９０度回転させ、当該光束の偏光方向を、図３に示すように、第１直線偏光Ｓの偏光方向に揃える。このような波長選択性偏光回転素子２１９は、例えば、特開２０１０−２０４３３３号公報に開示されている。
そして、波長選択性偏光回転素子２１９で第１直線偏光Ｓに揃えられた３つの色光Ｒ，Ｇ，Ｂは、投射レンズ２１０によって投射される。
すなわち、左目用プロジェクター２Ｌにおいて、投射レンズ２１０は、３つの色光Ｒ，Ｇ，Ｂ（左目用画像）を第１直線偏光Ｓで投射する。
なお、上述したＲ，Ｂ色光側の各部材２１５，２１６Ａ，２１６Ｂ，２１７、Ｇ色光側の各部材２１５，２１６Ａ，２１６Ｂ、プリズム２１８及び波長選択性偏光回転素子２１９が本発明に係る光変調装置２６（図３）に相当するものである。
【００２４】
図４は、右目用プロジェクター２Ｒにおける光学ユニット２１の構成の一部を模式的に示す平面図である。
具体的に、図４は、図３に対応した図であり、右目用プロジェクター２Ｒにおける各色光Ｒ，Ｇ，Ｂの偏光状態を示している。
右目用プロジェクター２Ｒにおいて、光学ユニット２１は、図４に示すように、左目用プロジェクター２Ｌの光学ユニット２１と同様の構成を有している。
そして、右目用プロジェクター２Ｒでは、波長選択性偏光回転素子２１９は、プリズム２１８で合成された３つの色光Ｒ，Ｇ，Ｂのうち、赤、青の各色光Ｒ，Ｂに対応する波長域の偏光軸を９０度回転させ、当該光束の偏光方向を、図４に示すように、第２直線偏光Ｐの偏光方向に揃える。
すなわち、右目用プロジェクター２Ｒにおいて、投射レンズ２１０は、３つの色光Ｒ，Ｇ，Ｂ（右目用画像）を第２直線偏光Ｐで投射する。
【００２５】
〔カメラの構成〕
カメラ２５は、制御装置２２による制御の下、スクリーンＳｃの投射面を撮像し、撮像した画像に応じた信号を制御装置２２に出力する。
このカメラ２５は、図５に示すように、エリアセンサであるＣＣＤ（Charge Coupled Device）、及び光束を集光してＣＣＤに照射する集光レンズ等を有するカメラ本体２５１と、カメラ本体２５１の光入射側において、カメラ本体２５１に着脱自在に構成される補正用偏光板２５２とを備える。
なお、補正用偏光板２５２は、カメラ本体２５１に対して、以下に示すように取り付けられるものである。
すなわち、左目用プロジェクター２Ｌに用いられる補正用偏光板２５２は、透過軸が左目用プロジェクター２Ｌから投射される第１直線偏光Ｓに直交するように取り付けられる。
また、右目用プロジェクター２Ｒに用いられる補正用偏光板２５２は、透過軸が右目用プロジェクター２Ｒから投射される第２直線偏光Ｐに直交するように取り付けられる。
【００２６】
〔制御装置の構成〕
図５は、制御装置２２の構成を示すブロック図である。
制御装置２２は、ＣＰＵ(Central Processing Unit)等を有し、表示パネル２１５、及び第１，第２補正パネル２３，２４の動作を制御する。
この制御装置２２は、図５に示すように、信号判別部２２１と、左目用記憶部２２２Ｌ及び右目用記憶部２２２Ｒと、表示制御部２２３と、タイミングコントローラー２２４と、偏光制御部２２５と、記憶部２２６とを備える。
信号判別部２２１は、外部から入力した入力信号に含まれる左右画像信号から、左目用画像信号と、右目用画像信号とを判別する。
そして、信号判別部２２１は、左目用画像信号を左目用画像データとして左目用記憶部２２２Ｌに記憶させ、右目用画像信号を右目用画像データとして右目用記憶部２２２Ｒに記憶させる。
なお、左，右目用記憶部２２２Ｌ，２２２Ｒに記憶される左，右目用画像データは、１フレーム毎のデータの集まりによってそれぞれ構成されている。
【００２７】
表示制御部２２３は、左，右目用記憶部２２２Ｌ，２２２Ｒに記憶された左，右目用画像データのいずれかを読み出し、読み出した画像データに基づく画像を各表示パネル２１５に形成させる。
例えば、表示制御部２２３は、外装筐体２７（図１）の外部に露出して設けられたディップスイッチ（図示略）のＯＮまたはＯＦＦを認識することで、自身のプロジェクターが左目用画像（第１画像）を投射するプロジェクターであるか、右目用画像（第２画像）を投射するプロジェクターであるかを認識する。
そして、表示制御部２２３は、左目用画像を投射するプロジェクターであると認識した場合には、左目用記憶部２２２Ｌに記憶された左目用画像データを読み出し、読み出した左目用画像データに基づく左目用画像を各表示パネル２１５に形成させる。
なお、右目用プロジェクター２Ｒにおいても、表示制御部２２３は、上記同様の処理を実行する。
【００２８】
タイミングコントローラー２２４は、外部から入力した入力信号に含まれる同期信号（垂直同期信号、水平同期信号）を読み取って、表示制御部２２３に処理を実行させる。
なお、右目用プロジェクター２Ｒにおいても、タイミングコントローラー２２４は、上記同様の処理を実行する。
すなわち、左，右目用プロジェクター２Ｌ，２Ｒを構成する各タイミングコントローラー２２４は、当該左，右目用プロジェクター２Ｌ，２Ｒから投射されスクリーンＳｃの投射面上に投影される左，右目用画像の表示タイミングの同期をとっている。
【００２９】
偏光制御部２２５は、記憶部２２６に記憶された制御プログラムにしたがって、第１，第２補正パネル２３，２４の動作を制御する。
この偏光制御部２２５は、図５に示すように、撮像画像取得部２２５Ａと、投影領域認識部２２５Ｂと、領域判定部２２５Ｃと、パネル制御部２２５Ｄとを備える。
撮像画像取得部２２５Ａは、カメラ２５の動作を制御し、カメラ２５にスクリーンＳｃの投射面を撮像させる。また、撮像画像取得部２２５Ａは、カメラ２５から出力される電気信号を入力してコンピューターにて読取可能な信号（デジタル信号）に変換し、カメラ２５を構成するＣＣＤの画素毎に画素値（輝度値）に関する情報を含んだ撮像画像データを取得する。
【００３０】
投影領域認識部２２５Ｂは、撮像画像データに基づいて、輝度値が所定値以上となる各画素の領域を投影領域（スクリーンＳｃにおける投射面上の投影画像の表示領域）として認識する。
領域判定部２２５Ｃは、撮像画像データに基づいて、投影領域内において、偏光状態が乱れた変化領域を判定する。
パネル制御部２２５Ｄは、領域判定部２２５Ｃにて判定された変化領域に基づいて、第１，第２補正パネル２３，２４の動作を制御する。
具体的に、パネル制御部２２５Ｄは、第１，第２補正パネル２３，２４において、変化領域に対応する液晶セルや、変化領域以外の領域に対応する液晶セルに印加する電圧を設定し、設定した電圧で第１，第２補正パネル２３，２４の動作を制御する。
なお、当該電圧の設定方法については、後述する。
記憶部２２６は、制御プログラム、偏光制御部２２５にて算出された情報等を記憶する。
【００３１】
〔第１，第２補正パネルの構成〕
第１補正パネル２３は、図２ないし図４に示すように、投射レンズ２１０から投射された直線偏光の光路中に配設されている。
第２補正パネル２４は、図２ないし図４に示すように、投射レンズ２１０から投射された直線偏光の光路中において、第１補正パネル２３の光路下流側に配設されている。
なお、具体的な図示は省略したが、第１，第２補正パネル２３，２４は、ユニット化され、外装筐体２７に対して着脱自在に構成されている。
そして、これら第１，第２補正パネル２３，２４は、表示パネル２１５と同様に、透過型の液晶パネルで構成され、偏光制御部２２５による制御の下、液晶セルに封入された液晶分子の配列を変化させることで、入射した光の偏光状態を変更する。
本実施形態では、第１，第２補正パネル２３，２４は、電圧が印加されていない時には液晶分子の長軸が光入射面（光出射面）に対して略垂直になり、電圧の印加に応じて水平に近付いていくＶＡ（Vertical Alignment）モードの液晶パネルで構成されている。
また、第１，第２補正パネル２３，２４は、各液晶セルの数が同一に設定されているとともに、各液晶セルの位置も一致するように形成されている。
【００３２】
次に、第１補正パネル２３のチルト方向Ｄと第１，第２直線偏光Ｓ，Ｐとの関係について説明する。
図６は、チルト方向Ｄの表記の仕方を示したものである。具体的に、図６（Ａ）は第１補正パネル２３を光入射側から見た場合のチルト方向Ｄを示しており、図６（Ｂ）〜図６（Ｅ）は図６（Ａ）中の第１補正パネル２３（電圧が印加されていない状態）を矢印Ｄｂ，Ｄｃ，Ｄｄ，Ｄｅの方向から見た場合の液晶分子ＬＣの配列状態をそれぞれ模式的に示している。
なお、図６（Ａ）における上下方向は、図１の上下方向（鉛直方向）に相当するものである。また、図６（Ｂ）〜図６（Ｅ）において、上側は、光入射側に相当するものである。
また、図６（Ａ）〜図６（Ｅ）では、第１補正パネル２３の位置を理解し易くするために、マークＭ１〜Ｍ３を付している。以下の図８ないし図１０も同様である。
【００３３】
第１補正パネル２３において、液晶分子ＬＣは、具体的な図示は省略したが、配向膜により、チルト方向Ｄが規制されている。
例えば、図６に示す例では、チルト方向Ｄは、光入射側から見て、第１補正パネル２３における左下の角部分から右上の角部分に向うように規制されている。
本実施形態において、チルト方向Ｄは、図６に示すように、液晶分子ＬＣに電圧が印加されていない状態で、始点を液晶分子ＬＣの長軸における光出射側の端部とし、終点を液晶分子ＬＣの長軸における光入射側の端部とした矢印を光入射側から見たものを意味する。
【００３４】
そして、本実施形態では、第１補正パネル２３は、第１，第２直線偏光Ｓ，Ｐに対してチルト方向Ｄが以下に示す関係となるように設定されている。
図７ないし図１０は、第１補正パネル２３のチルト方向Ｄを説明するための図である。具体的に、図７は左，右目用プロジェクター２Ｌ，２Ｒを上側から見た図であり、図８（Ａ）は図７における左目用プロジェクター２Ｌの一部（第１補正パネル２３）を拡大した図であり、図８（Ｂ）は図７における右目用プロジェクター２Ｒの一部（第１補正パネル２３）を拡大した図である。そして、図９は光入射側から見た場合での左目用プロジェクター２Ｌにおける第１補正パネル２３のチルト方向Ｄを示し、図１０は光入射側から見た場合での右目用プロジェクター２Ｒにおける第１補正パネル２３のチルト方向Ｄを示している。
なお、以下では、説明の便宜上、左目用プロジェクター２Ｌにおける第１補正パネル２３を第１補正パネル２３Ｌとし、右目用プロジェクター２Ｒにおける第１補正パネル２３を第１補正パネル２３Ｒとする（図７ないし図１０参照）。第２補正パネル２４も同様に、第２補正パネル２４Ｌ，２４Ｒとする。
また、図８では、電圧が印加されていない状態での液晶分子ＬＣの配列状態を模式的に示している。
【００３５】
第１補正パネル２３Ｌは、光入射側から見て、チルト方向Ｄが左目用プロジェクター２Ｌから投射される第１直線偏光Ｓの偏光方向に対して４５°をなすように設定されている。
ここで、左目用プロジェクター２Ｌは、図７または図８（Ａ）に示すように、スクリーンＳｃに対向する側から見て、スクリーンＳｃの中心より左側に配設されているため、スクリーンＳｃに対して投射レンズ２１０の光軸より右側に向って投射される左目用画像（第１直線偏光Ｓ）の光の方が、投射レンズ２１０の光軸より左側に向って投射される左目用画像（第１直線偏光Ｓ）の光より多い。
そして、第１補正パネル２３Ｌは、電圧が印加されていない状態で液晶分子ＬＣの長軸が左目用プロジェクター２Ｌから多くの光が投射される方向である投射方向（図８（Ａ）中の矢印）に倣うように設定されている。なお、具体的な図示は省略したが、第２補正パネル２４Ｌも同様である。
すなわち、上述した（Ａ）チルト方向Ｄが第１直線偏光Ｓの偏光方向に対して４５°をなす、（Ｂ）液晶分子ＬＣの長軸が左目用プロジェクター２Ｌから多くの光が投射される方向である投射方向に倣うという２つの条件を考慮すると、第１補正パネル２３Ｌは、図９（Ａ）に示すチルト方向Ｄ（ＤＬ１）、または図９（Ｂ）に示すチルト方向Ｄ（ＤＬ２）となるように設定されている。
【００３６】
第１補正パネル２３Ｒも同様に、（Ａ）チルト方向Ｄが第２直線偏光Ｐ（右目用プロジェクター２Ｒから投射される光）の偏光方向に対して４５°をなす、（Ｂ）液晶分子ＬＣの長軸が右目用プロジェクター２Ｒから多くの光が投射される方向である投射方向に倣う（図８（Ｂ））という２つの条件を満たすように設定されている。
すなわち、第１補正パネル２３Ｒは、図１０（Ａ）に示すチルト方向Ｄ（ＤＲ１）、または図１０（Ｂ）に示すチルト方向Ｄ（ＤＲ２）となるように設定されている。
なお、具体的な図示は省略したが、第２補正パネル２４Ｒも、上記（Ｂ）の条件を満たすように設定されている。
【００３７】
第２補正パネル２４については、具体的な図示は省略したが、以下に示すように、設定されている。
すなわち、左目用プロジェクター２Ｌにおける第２補正パネル２４は、光入射側から見て、液晶分子のチルト方向が以下の（１）〜（４）に示す４つの方向に合致しないように設定されている。
（１）左目用プロジェクター２Ｌから投射される第１直線偏光Ｓの偏光方向。
（２）第１直線偏光Ｓの偏光方向に直交する方向（第２直線偏光Ｐの偏光方向）。
（３）第１補正パネル２３Ｌのチルト方向Ｄ。
（４）第１補正パネル２３Ｌのチルト方向Ｄに直交する方向。
【００３８】
また、右目用プロジェクター２Ｒにおける第２補正パネル２４も同様に、光入射側から見て、液晶分子のチルト方向が以下の（５）〜（９）に示す４つの方向に合致しないように設定されている。
（５）右目用プロジェクター２Ｒから投射される第２直線偏光Ｐの偏光方向。
（６）第２直線偏光Ｐの偏光方向に直交する方向（第１直線偏光Ｓの偏光方向）。
（７）第１補正パネル２３Ｒのチルト方向Ｄ。
（８）第１補正パネル２３Ｒのチルト方向Ｄに直交する方向。
【００３９】
〔偏光眼鏡の構成〕
偏光眼鏡３は、観察者が装着するものであり、図１に示すように、第１画像透過部としての左目用透過部３１と、第２画像透過部としての右目用透過部３２とを備える。
左目用透過部３１は、透過軸が第１直線偏光Ｓの偏光方向と同一方向となる偏光レンズで構成されている。
右目用透過部３２は、透過軸が第２直線偏光Ｐの偏光方向と同一方向となる偏光レンズで構成されている。
すなわち、左目用プロジェクター２Ｌから投射された左目用画像（第１直線偏光Ｓ）は、左目用透過部３１のみを透過し、観察者の左目にて視認される。一方、右目用プロジェクター２Ｒから投射された右目用画像（第２直線偏光Ｐ）は、右目用透過部３２のみを透過し、観察者の右目にて視認される。
したがって、観察者は、視差により投影画像を立体視することとなる。
【００４０】
〔第１，第２補正パネルに印加する電圧の設定方法〕
次に、第１，第２補正パネル２３，２４に印加する電圧の設定方法について説明する。
なお、左，右目用プロジェクター２Ｌ，２Ｒにおいて、第１，第２補正パネル２３，２４に印加する電圧の設定方法は、同様の方法である。このため、以下では、左目用プロジェクター２Ｌでの上記電圧の設定方法のみを説明する。
【００４１】
〔事前準備〕
先ず、使用者は、上記電圧の設定前に、以下に示す事前準備を実施する。
図１１は、事前準備を説明するフローチャートである。
使用者は、補正用偏光板２５２をカメラ本体２５１から取り外す（ステップＳ１０１）。
すなわち、ステップＳ１０１を実施することで、左目用プロジェクター２Ｌから投射され、スクリーンＳｃにて反射された第１直線偏光Ｓ（左目用画像）は、補正用偏光板２５２にて遮断されることなく、カメラ本体２５１にて撮像される状態となる。
【００４２】
ステップＳ１０１の後、使用者は、左目用プロジェクター２Ｌの外装筐体２７に設けられた操作パネル（図示略）や、リモートコントローラー（図示略）を操作し、事前準備を実施する旨の情報を入力する。
そして、制御装置２２は、上述した情報の入力に応じて、以下の処理を実行する。
すなわち、表示制御部２２３は、表示パネル２１５に全白画像を形成させる。そして、表示パネル２１５に形成された全白画像は、投射レンズ２１０にて投射され、電圧が印加されていない状態の第１，第２補正パネル２３Ｌ，２４Ｌを介して、スクリーンＳｃの投射面上に投影される（ステップＳ１０２）。
【００４３】
ステップＳ１０２の後、撮像画像取得部２２５Ａは、カメラ本体２５１の動作を制御し、カメラ本体２５１に全白画像（投影画像）を撮像させる（ステップＳ１０３）。
そして、撮像画像取得部２２５Ａは、カメラ本体２５１から出力される電気信号を入力して、ＣＣＤの画素毎に輝度値に関する情報を含んだ撮像画像データを取得する。また、撮像画像取得部２２５Ａは、取得した撮像画像データを記憶部２２６に記憶させる。
【００４４】
ステップＳ１０３の後、投影領域認識部２２５Ｂは、記憶部２２６に記憶された撮像画像データを読み出し、輝度値が所定値以上となる各画素の領域（投影領域）を認識する（ステップＳ１０４）。
そして、投影領域認識部２２５Ｂは、認識した投影領域（ＣＣＤの画素位置）を記憶部２２６に記憶させる。
以上の処理が完了した後、使用者は、補正用偏光板２５２をカメラ本体２５１に取り付ける（ステップＳ１０５）ことで、事前準備を終了する。
【００４５】
〔電圧の設定〕
次に、使用者は、操作パネルやリモートコントローラーを操作し、第１，第２補正パネル２３Ｌ，２４Ｌに印加する電圧を設定する旨の情報を入力する。
そして、制御装置２２は、上述した情報の入力に応じて、以下の処理を実行する。
図１２ないし図１４は、第１，第２補正パネル２３Ｌ，２４Ｌに印加する電圧の設定方法を説明するフローチャートである。
先ず、撮像画像取得部２２５Ａは、ステップＳ１０３と同様に、カメラ本体２５１に投影画像を撮像させる（ステップＳ２０１）。
【００４６】
なお、上述した事前準備（ステップＳ１０５）において、補正用偏光板２５２をカメラ本体２５１に取り付けた状態であるため、左目用プロジェクター２Ｌから投射され、スクリーンＳｃにて反射された第１直線偏光Ｓ（全白画像）は、理想的には、補正用偏光板２５２にて遮断されることとなる。すなわち、カメラ本体２５１にて撮像される投影画像は、全黒画像となるはずである。
しかしながら、実際には、投射レンズ２１０等の光学素子の歪みや、光学素子の入射角度依存性等により、場所により不要な位相差が与えられることで偏光が乱れてしまい、一部の光が補正用偏光板２５２を通過してしまう。すなわち、カメラ本体２５１にて撮像された投影画像には、輝度値が比較的に高い白浮き領域（偏光状態が乱れた変化領域）が存在することとなる。
【００４７】
そして、ステップＳ２０１の後、領域判定部２２５Ｃは、以下の処理を実行する。
先ず、領域判定部２２５Ｃは、記憶部２２６に記憶された撮像画像データ（ステップＳ２０１にて取得された撮像画像データ）及び投影領域を読み出し、撮像画像データ中の投影領域を把握する。そして、領域判定部２２５Ｃは、撮像画像データ中の投影領域に対応する各画素の各輝度値を平均化した平均輝度値を算出する（ステップＳ２０２）。
ステップＳ２０２の後、領域判定部２２５Ｃは、算出した平均輝度値よりも高い輝度値を有する画素（白浮き領域）を抽出する（ステップＳ２０３）。
【００４８】
ステップＳ２０３の後、領域判定部２２５Ｃは、抽出した各白浮き領域に番号ｊ（ｊ＝１〜ａ（白浮き領域の全数をａ））を振り、各白浮き領域ｊの輝度値Ｌｊを記憶部２２６に記憶させる（ステップＳ２０４）。
ステップＳ２０４の後、領域判定部２２５Ｃは、撮像画像データ中の投影領域のうち、白浮き領域ｊ以外の全領域の各輝度値を平均化した平均輝度値Ｌaveを算出し、当該平均輝度値Ｌaveを記憶部２２６に記憶させる（ステップＳ２０５）。
【００４９】
ステップＳ２０５の後、パネル制御部２２５Ｄは、第１補正パネル２３Ｌの任意の液晶セルｉ（ｉ＝１〜ｂ（液晶セルの全数をｂとしている））に、λ／２の位相差を生じさせる電圧を印加する（ステップＳ２０６）。
ステップＳ２０６の後、撮像画像取得部２２５Ａは、ステップＳ２０１と同様に、カメラ本体２５１に投影画像を撮像させる（ステップＳ２０７）。
ステップＳ２０７の後、パネル制御部２２５Ｄは、記憶部２２６に記憶された白浮き領域ｊ（例えば、１番目の白浮き領域）の輝度値Ｌｊと、ステップＳ２０７にて取得された撮像画像データ中の上記白浮き領域ｊの輝度値とを比較し、差があるか否かを判定する（ステップＳ２０８）。
【００５０】
ステップＳ２０８において、パネル制御部２２５Ｄは、「Ｎ」と判定した場合には、電圧を印加する液晶セルｉを変更し（ステップＳ２０９）、ステップＳ２０６の処理に移行する。
そして、パネル制御部２２５Ｄは、ステップＳ２０８において、「Ｙ」と判定するまで、ステップＳ２０６〜Ｓ２０９の処理を繰り返し実施する。
すなわち、ステップＳ２０６〜Ｓ２０９の処理は、上記白浮き領域ｊに対応する第１補正パネル２３Ｌ中の液晶セルｉを特定するものである。
【００５１】
そして、ステップＳ２０８において、パネル制御部２２５Ｄは、「Ｙ」と判定した場合には、記憶部２２６に記憶された上記白浮き領域ｊの輝度値Ｌｊを、Ｌminとして記憶部２２６に記憶させる（ステップＳ２１０）。
また、パネル制御部２２５Ｄは、第１，第２補正パネル２３Ｌ，２４Ｌにおいて、上記白浮き領域ｊに対応する各液晶セルｉに印加する電圧Ｖ１min，Ｖ２minを０として記憶部２２６に記憶させる（ステップＳ２１１）。
【００５２】
ステップＳ２１１の後、パネル制御部２２５Ｄは、第１補正パネル２３Ｌの液晶セルｉ（上記白浮き領域ｊに対応する液晶セルとして特定した液晶セルｉ）に、電圧ｋを印加する（ステップＳ２１２）。
ステップＳ２１２の後、撮像画像取得部２２５Ａは、ステップＳ２０１と同様に、カメラ本体２５１に投影画像を撮像させる（ステップＳ２１３）。
ステップＳ２１３の後、パネル制御部２２５Ｄは、ステップＳ２１３にて取得された撮像画像データ中の上記白浮き領域ｊの輝度値がステップＳ２１０にて記憶部２２６に記憶させたＬmin未満であるか否かを判定する（ステップＳ２１４）。
ステップＳ２１４において、パネル制御部２２５Ｄは、「Ｎ」と判定した場合には、後述するステップＳ２１６の処理に移行する。
【００５３】
一方、ステップＳ２１４において、パネル制御部２２５Ｄは、「Ｙ」と判定した場合には、ステップＳ２１３にて取得された撮像画像データ中の上記白浮き領域ｊの輝度値をＬmin、ステップＳ２１２において印加した電圧ｋをＶ１minとして記憶部２２６に記憶させる（ステップＳ２１５）。
ステップＳ２１５の後、パネル制御部２２５Ｄは、ステップＳ２１２において印加する電圧ｋを電圧Ｃ（λの位相差を生じさせる電圧）まで変更したか否かを判定する（ステップＳ２１６）。
ステップＳ２１６において、パネル制御部２２５Ｄは、「Ｎ」と判定した場合には、電圧ｋを一定の刻みで変更しながら（ステップＳ２１７）、ステップＳ２１２において印加する電圧ｋが電圧Ｃとなるまで、ステップＳ２１２〜Ｓ２１７の処理を繰り返し実施する。
【００５４】
そして、ステップＳ２１６において、パネル制御部２２５Ｄは、「Ｙ」と判定した場合には、ステップＳ２１５にて記憶部２２６に記憶させたＬminが記憶部２２６に記憶された平均輝度値Ｌaveよりも大きいか否かを判定する（ステップＳ２１８）。
ステップＳ２１８において、パネル制御部２２５Ｄは、「Ｎ」と判定した場合には、第１，第２補正パネル２３Ｌ，２４Ｌの各液晶セルｉ（上記白浮き領域ｊに対応する液晶セルとして特定した液晶セルｉ）に印加する電圧Ｖ１min，Ｖ２minを以下に示すように決定する（ステップＳ２１９）。
すなわち、パネル制御部２２５Ｄは、第１補正パネル２３Ｌの液晶セルｉに印加する電圧Ｖ１minをステップＳ２１５にて記憶部２２６に記憶させたＶ１min、第２補正パネル２４Ｌの液晶セルｉに印加する電圧Ｖ２minをステップＳ２１１にて記憶部２２６に記憶させた０に決定する。
【００５５】
一方、ステップＳ２１８において、パネル制御部２２５Ｄは、「Ｙ」と判定した場合には、第１補正パネル２３Ｌの液晶セルｉ（上記白浮き領域ｊに対応する液晶セルとして特定した液晶セルｉ）に、電圧ｍを印加する（ステップＳ２２０）。
また、パネル制御部２２５Ｄは、第２補正パネル２４Ｌの液晶セルｉ（上記白浮き領域ｊに対応する液晶セルとして特定した液晶セルｉ）に、電圧ｎを印加する（ステップＳ２２１）。
ステップＳ２２１の後、撮像画像取得部２２５Ａは、ステップＳ２０１と同様に、カメラ本体２５１に投影画像を撮像させる（ステップＳ２２２）。
ステップＳ２２２の後、パネル制御部２２５Ｄは、ステップＳ２２２にて取得された撮像画像データ中の上記白浮き領域ｊの輝度値がステップＳ２１５にて記憶部２２６に記憶させたＬmin未満であるか否かを判定する（ステップＳ２２３）。
ステップＳ２２３において、パネル制御部２２５Ｄは、「Ｎ」と判定した場合には、後述するステップＳ２２５の処理に移行する。
【００５６】
一方、ステップＳ２２３において、パネル制御部２２５Ｄは、「Ｙ」と判定した場合には、ステップＳ２２２にて取得された撮像画像データ中の上記白浮き領域ｊの輝度値をＬmin、ステップＳ２２０にて印加した電圧ｍをＶ１min、ステップＳ２２１にて印加した電圧ｎをＶ２minとして記憶部２２６に記憶させる（ステップＳ２２４）。
ステップＳ２２４の後、パネル制御部２２５Ｄは、ステップＳ２２１にて印加する電圧ｎを電圧Ｃまで変更したか否かを判定する（ステップＳ２２５）。
ステップＳ２２５において、パネル制御部２２５Ｄは、「Ｎ」と判定した場合には、電圧ｎを一定の刻みで変更しながら（ステップＳ２２６）、ステップＳ２２１にて印加する電圧ｎが電圧Ｃとなるまで、ステップＳ２２１〜Ｓ２２６の処理を繰り返し実施する。
【００５７】
そして、ステップＳ２２５において、パネル制御部２２５Ｄは、「Ｙ」と判定した場合には、ステップＳ２２０にて印加する電圧ｍを電圧Ｃまで変更したか否かを判定する（ステップＳ２２７）。
ステップＳ２２７において、パネル制御部２２５Ｄは、「Ｎ」と判定した場合には、電圧ｍを一定の刻みで変更しながら（ステップＳ２２８）、ステップＳ２２０にて印加する電圧ｍが電圧Ｃとなるまで、ステップＳ２２０〜Ｓ２２５，Ｓ２２７，Ｓ２２８の処理を繰り返し実施する。
【００５８】
そして、ステップＳ２２７において、パネル制御部２２５Ｄは、「Ｙ」と判定した場合には、ステップＳ２１９の処理に移行し、第１，第２補正パネル２３Ｌ，２４Ｌの各液晶セルｉ（上記白浮き領域ｊに対応する液晶セルとして特定した液晶セルｉ）に印加する電圧Ｖ１min，Ｖ２minを以下に示すように決定する。
すなわち、パネル制御部２２５Ｄは、第１，第２補正パネル２３Ｌ，２４Ｌの各液晶セルｉに印加する電圧Ｖ１min，Ｖ２minをステップＳ２２４にて記憶部２２６に記憶させたＶ１min，Ｖ２minに決定する。
そして、パネル制御部２２５Ｄは、ステップＳ２１９の後、全ての白浮き領域ｊに対応する各液晶セルｉに印加する各電圧Ｖ１min，Ｖ２minを決定するまで、ステップＳ２０６〜Ｓ２２８の処理を繰り返し実施する。
【００５９】
以上の処理により、第１，第２補正パネル２３Ｌ，２４Ｌにおいて、各白浮き領域ｊに対応する各液晶セルｉに印加する電圧Ｖ１min，Ｖ２minが設定される。
なお、各白浮き領域ｊ以外の領域に対応する各液晶セルｉに印加する電圧については、０に設定されている。
【００６０】
上述した第１実施形態によれば、以下の効果がある。
本実施形態では、左目用プロジェクター２Ｌは、投射された第１直線偏光Ｓの光路中に第１補正パネル２３Ｌを備える。
このことにより、第１補正パネル２３Ｌの光透過領域のうち、偏光状態が乱れた変化領域（白浮き領域ｊ）に対応する液晶セルｉに電圧Ｖ１minを印加することで、白浮き領域ｊに対応する光に４５°方向の位相差を打ち消す位相差を与えることができる。
このため、投射レンズ２１０等の光学素子の歪みや、光学素子の入射角度依存性等により、場所により乱れた偏光状態を元に戻し、左目用プロジェクター２Ｌから投射される光の偏光度を高めることができる。なお、右目用プロジェクター２Ｒも同様である。
したがって、クロストークが生じることを抑制でき、観察者に投影画像を良好に立体視させることができる。
【００６１】
また、左目用プロジェクター２Ｌは、投射された第１直線偏光Ｓの光路中に、第１補正パネル２３Ｌの他、第２補正パネル２４Ｌを備える。
このことにより、第１，第２補正パネル２３Ｌ，２４Ｌを組み合わせることで、４５°以外の方向の位相差をも打ち消すことが可能となる。
したがって、左目用プロジェクター２Ｌから投射される光の偏光度をさらに高めることができる。なお、右目用プロジェクター２Ｒも同様である。
【００６２】
さらに、第１補正パネル２３Ｌは、電圧が印加されていない状態で、液晶分子ＬＣの長軸が左目用プロジェクター２Ｌから多くの光が投射される方向である投射方向に倣うように設定されている。
このことにより、第１補正パネル２３Ｌの光透過領域のうち、電圧が印加されていない（偏光状態が乱れた白浮き領域ｊ以外の領域に対応する）液晶セルｉ内において、液晶分子ＬＣの長軸に略沿って光を透過させることができる。
したがって、偏光状態が乱れていない光については、偏光状態を変化させることなく、そのまま第１補正パネル２３Ｌを透過させることができ、第１補正パネル２３Ｌが不要な位相差を与えることを抑制できる。なお、右目用プロジェクター２Ｒも同様である。
【００６３】
また、左目用プロジェクター２Ｌは、カメラ２５と、撮像画像取得部２２５Ａ、領域判定部２２５Ｃ、及びパネル制御部２２５Ｄを有する制御装置２２を備える。
このことにより、投射レンズ２１０等の光学素子の歪みや、光学素子の入射角度依存性等により、偏光状態が乱れた場所（白浮き領域ｊ）を容易に特定できる。また、第１補正パネル２３Ｌにおける白浮き領域ｊに対応する液晶セルｉに電圧Ｖ１minを印加することで、白浮き領域ｊに対応する光の偏光状態を元に戻し、左目用プロジェクター２Ｌから投射される光の偏光度を容易に高めることができる。
さらに、カメラ２５及び制御装置２２を搭載した構成とすることで、長期間の使用により偏光状態の乱れる場所が変化した場合であっても、カメラ２５及び制御装置２２を用いることで、白浮き領域ｊを特定し、左目用プロジェクター２Ｌから投射される光の偏光度を高めることができる。
【００６４】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
本実施形態では、前記第１実施形態に対して、左，右目用プロジェクター２Ｌ，２Ｒの配設位置が異なるとともに、当該配設位置に応じて、第１，第２補正パネル２３，２４のチルト方向Ｄも前記第1実施形態とは異なるように設定されている。
【００６５】
図１５ないし図１８は、第２実施形態における第１補正パネル２３のチルト方向Ｄを説明するための図である。具体的に、図１５は左，右目用プロジェクター２Ｌ，２Ｒを側方から見た図であり、図１６（Ａ）は図１５における第１補正パネル２３Ｌを拡大した図であり、図１６（Ｂ）は図１５における第１補正パネル２３Ｒを拡大した図である。そして、図１７は光入射側から見た場合での第１補正パネル２３Ｌのチルト方向Ｄを示し、図１８は光入射側から見た場合での第１補正パネル２３Ｒのチルト方向Ｄを示している。
また、図１６では、電圧が印加されていない状態での液晶分子ＬＣの配列状態を模式的に示している。
【００６６】
左，右目用プロジェクター２Ｌ，２Ｒは、図１５に示すように、上下方向（鉛直方向）に並設されている。具体的には、スクリーンＳｃに対向する側から見て、スクリーンＳｃの中心より上側に左目用プロジェクター２Ｌが配設され、下側に右目用プロジェクター２Ｒが配設されている。
すなわち、左目用プロジェクター２Ｌは、スクリーンＳｃに対して投射レンズ２１０の光軸より下側に向って投射される左目用画像（第１直線偏光Ｓ）の光の方が、投射レンズ２１０の光軸より上側に向って投射される左目用画像（第１直線偏光Ｓ）の光より多い。一方、右目用プロジェクター２Ｒは、スクリーンＳｃに対して投射レンズ２１０の光軸より上側に向って投射される右目用画像（第２直線偏光Ｐ）の光の方が、投射レンズ２１０の光軸より下側に向って投射される右目用画像（第２直線偏光Ｐ）の光より多い。
そして、第２実施形態でも、前記第１実施形態と同様に、第１補正パネル２３Ｌは、（Ａ）チルト方向Ｄが第１直線偏光Ｓの偏光方向に対して４５°をなす、（Ｂ）液晶分子ＬＣの長軸が左目用プロジェクター２Ｌから多くの光が投射される方向である投射方向に倣う（図１６（Ａ））という２つの条件を満たすように設定されている。
すなわち、第１補正パネル２３Ｌは、図１７（Ａ）に示すチルト方向Ｄ（ＤＬ１）、または、図１７（Ｂ）に示すチルト方向Ｄ（ＤＬ２）となるように設定されている。
【００６７】
第１補正パネル２３Ｒも同様に、（Ａ）チルト方向Ｄが第２直線偏光Ｐの偏光方向に対して４５°をなす、（Ｂ）液晶分子ＬＣの長軸が右目用プロジェクター２Ｒから多くの光が投射される方向である投射方向に倣う（図１６（Ｂ））という２つの条件を満たすように設定されている。
すなわち、第１補正パネル２３Ｒは、図１８（Ａ）に示すチルト方向Ｄ（ＤＲ１）、または、図１８（Ｂ）に示すチルト方向Ｄ（ＤＲ２）となるように設定されている。
なお、第２補正パネル２４については、前記第１実施形態と同様に、光入射側から見て、液晶分子のチルト方向が上記（１）〜（４）または上記（５）〜（８）の４つの方向に合致しないように設定されている。
上述した第２実施形態のように、左，右目用プロジェクター２Ｌ，２Ｒの配設位置を変更し、さらに、第１補正パネル２３Ｌ，２３Ｒのチルト方向Ｄを変更した場合であっても、前記第１実施形態と同様の効果を享受できる。
【００６８】
なお、本発明は前述の実施形態に限定されるものではなく、本発明の目的を達成できる範囲での変形、改良等は本発明に含まれるものである。
前記各実施形態では、プロジェクションシステム１は、第１画像及び第２画像をそれぞれ左目用画像及び右目用画像として投影画像を観察者に立体視させる構成としていたが、これに限らない。例えば、プロジェクションシステムとして、第１画像及び第２画像をコンテンツの異なる画像とし、２つの投影画像（第１画像及び第２画像）を異なる観察者にそれぞれ視認させる構成を採用しても構わない。
このように構成した場合には、偏光眼鏡３としては、左目用透過部３１のみ（左目用透過部３１の数は単体でも複数でも可）を有する偏光眼鏡、及び右目用透過部３２のみ（右目用透過部３２の数は単体でも複数でも可）を有する偏光眼鏡の２種類を設ければよい。
【００６９】
前記各実施形態では、第１，第２補正パネル２３，２４の双方を用いた構成としていたが、これに限らず、第２補正パネル２４を省略し、第１補正パネル２３のみを用いた構成としても構わない。
前記各実施形態では、光変調装置２６に透過型の液晶パネル（表示パネル２１５）を採用していたが、これに限らず、反射型の液晶パネルを採用してもよく、あるいは、マイクロミラーを用いたデバイス等、液晶以外の光変調装置を採用しても構わない。
前記各実施形態では、光変調装置２６は、３つ設けられていたが、その数は３つに限らず、１つ、２つ、あるいは、４つ以上であっても構わない。
前記各実施形態では、第１，第２補正パネル２３，２４は、ＶＡモードの液晶パネルで構成されていたが、これに限らず、その他のモード（例えば、ＩＰＳ（In-Plane Switching）モード）の液晶パネルで構成しても構わない。
前記各実施形態では、第１，第２補正パネル２３，２４は、投射レンズ２１０の光路下流側に設けられていたが、光変調装置２６と投射レンズ２１０との間に設けても構わない。
【００７０】
前記各実施形態では、左目用画像と右目用画像は偏光方向の異なる直線偏光であったが、観察者が投影画像を観察する際に、第１補正パネル２３及び第２補正パネル２４の出射側に直線偏光を円偏光に変化させるλ／４位相差板を追加するとともに、偏光眼鏡３に円偏光を直線偏光に変換するλ／４位相差板を追加する構成としてもよい。
また、第１補正パネル２３及び第２補正パネル２４の出射側に直線偏光を円偏光に変化させるλ／４位相差板を装着した状態で、第１，第２補正パネル２３，２４に印加する電圧を設定する構成としてもよく、その場合は、カメラ２５の補正用偏光板２５２のスクリーンＳｃ側にλ／４位相差板を追加する。
【００７１】
前記第１実施形態では、スクリーンＳｃに対向する側から見て、左目用プロジェクター２Ｌの投射レンズ２１０の光軸がスクリーンＳｃの中心より左側に配設され、右目用プロジェクター２Ｒの投射レンズ２１０の光軸がスクリーンＳｃの中心より右側に配設されていたが、これに限らず、左，右目用プロジェクター２Ｌ，２Ｒの両方の投射レンズ２１０の光軸が、スクリーンＳｃの中心より左側に配設されている構成としてもよい。この場合、右目用プロジェクター２Ｒの第１補正パネル２３Ｒのチルト方向Ｄ（ＤＲ１）は、図９（Ａ）に示される左目用プロジェクター２Ｌの第１補正パネル２３Ｌのチルト方向Ｄ（ＤＬ１）、または、図９（Ｂ）に示されるチルト方向Ｄ（ＤＬ２）と同様となるように設定することが好ましい。
同様に、左，右目用プロジェクター２Ｌ，２Ｒの両方の投射レンズ２１０の光軸が、スクリーンＳｃの中心より右側に配設されている構成とした場合は、左目用プロジェクター２Ｌの第１補正パネル２３Ｌのチルト方向Ｄ（ＤＬ１）は、図１０（Ａ）に示される右目用プロジェクター２Ｒの第１補正パネル２３Ｒのチルト方向Ｄ（ＤＲ１）、または、図１０（Ｂ）に示されるチルト方向Ｄ（ＤＲ２）となるように設定することが好ましい。
【００７２】
前記第２実施形態では、スクリーンＳｃに対向する側から見て、左目用プロジェクター２Ｌの投射レンズ２１０の光軸がスクリーンＳｃの中心より上側に配設され、右目用プロジェクター２Ｒの投射レンズ２１０の光軸がスクリーンＳｃの中心より下側に配設されていたが、これに限らず、左，右目用プロジェクター２Ｌ，２Ｒの両方の投射レンズ２１０の光軸が、スクリーンＳｃの中心より上側に配設されている構成としてもよい。この場合、右目用プロジェクター２Ｒの第１補正パネル２３Ｒのチルト方向Ｄ（ＤＲ１）は、図１７（Ａ）に示される左目用プロジェクター２Ｌの第１補正パネル２３Ｌのチルト方向Ｄ（ＤＬ１）、または、図１７（Ｂ）に示されるチルト方向Ｄ（ＤＬ２）と同様となるように設定することが好ましい。
同様に、左，右目用プロジェクター２Ｌ，２Ｒの両方の投射レンズ２１０の光軸が、スクリーンＳｃの中心より下側に配設されている構成とした場合は、左目用プロジェクター２Ｌの第１補正パネル２３Ｌのチルト方向Ｄ（ＤＬ１）は、図１８（Ａ）に示される右目用プロジェクター２Ｒの第１補正パネル２３Ｒのチルト方向Ｄ（ＤＲ１）、または、図１８（Ｂ）に示されるチルト方向Ｄ（ＤＲ２）となるように設定することが好ましい。
【産業上の利用可能性】
【００７３】
本発明は、プロジェクターや偏光眼鏡を用いて画像を立体視させるプロジェクションシステムに利用できる。
【符号の説明】
【００７４】
１・・・プロジェクションシステム、２Ｌ・・・左目用プロジェクター（第１プロジェクター）、２Ｒ・・・右目用プロジェクター（第２プロジェクター）、３・・・偏光眼鏡（画像選択装置）、２２・・・制御装置、２３・・・第１補正パネル（第１液晶パネル）、２４・・・第２補正パネル（第２液晶パネル）、２５・・・カメラ（撮像装置）、２６・・・光変調装置、３１・・・左目用透過部（第１画像透過部）、３２・・・右目用透過部（第２画像透過部）、２１０・・・投射レンズ（投射光学装置）、２１１・・・光源装置、２２５Ａ・・・撮像画像取得部、２２５Ｃ・・・領域判定部、２２５Ｄ・・・パネル制御部、ＬＣ・・・液晶分子、Ｒ・・・チルト方向、Ｓｃ・・・スクリーン。
【図１】
2013127538.tif 000003
【図２】
2013127538.tif 000004
【図３】
2013127538.tif 000005
【図４】
2013127538.tif 000006
【図５】
2013127538.tif 000007
【図６】
2013127538.tif 000008
【図７】
2013127538.tif 000009
【図８】
2013127538.tif 000010
【図９】
2013127538.tif 000011
【図１０】
2013127538.tif 000012
【図１１】
2013127538.tif 000013
【図１２】
2013127538.tif 000014
【図１３】
2013127538.tif 000015
【図１４】
2013127538.tif 000016
【図１５】
2013127538.tif 000017
【図１６】
2013127538.tif 000018
【図１７】
2013127538.tif 000019
【図１８】
2013127538.tif 000020